(57)【要約】【課題】温水洗浄便座による臀部、ビディ等の洗浄の、次の乾燥工程において、その乾燥スピードを早めることを課題とする。【解決手段】乾燥促進剤を粒子状に微粒化して人体に噴射させる乾燥促進手段１と、人体に風を吹き掛けるブロアー手段２と、前記乾燥促進手段１とブロアー手段２を制御する運転制御装置３２から構成してあり、乾燥促進手段１とブロアー手段２との作用によって乾燥が促進される。【選択図】図２
2005232962.tif 000002
【特許請求の範囲】
【請求項１】
人体を洗浄する洗浄手段と、人体に付着した水滴の蒸発又は剥離を促進する材料からなる乾燥促進剤を人体に噴射する乾燥促進手段とを備えた温水洗浄便座。
【請求項２】
乾燥促進剤は、アルコール系の揮発剤とした請求項１記載の温水洗浄便座。
【請求項３】
洗浄手段による洗浄後に、乾燥促進手段による乾燥促進剤の噴射を行う請求項１または２に記載の温水洗浄便座。
【請求項４】
送風手段を備え、前記送風手段は人体に付着した水滴または乾燥促進剤または水と乾燥促進剤の混合液に吹き掛けるようにした請求項１から３のいずれか１項記載の温水洗浄便座。
【請求項５】
乾燥促進手段と洗浄手段を共有したことを特徴とする請求項１から４のいずれか１項記載の温水洗浄便座。
【発明の詳細な説明】
【技術分野】
【０００１】
本発明は、温水洗浄便座による臀部、ビディ等の洗浄、あるいは手の洗浄、または体全体の人体洗浄、その他衣類の洗濯脱水等、各種洗浄や洗濯脱水後の乾燥工程における乾燥を速め、衛生的処理を行う省エネ型乾燥促進方法に関するものである。
【背景技術】
【０００２】
従来のこの種の温水洗浄便座における乾燥装置は特許文献１、および特許文献２に記載されているようなものが一般的であった。このうち、特許文献１の乾燥装置は図４に示すように構成されている。すなわち図４において、１は洗浄ノズル、２は噴出口、３は便座、４は温風吹き出し口、５は洗浄水および乾燥助成剤を貯溜するタンク、６は便座カバー、Ａは臀部、Ｂは臀部底部、Ｃは肛門を示し、便座に着座した状態で臀部底部に揮発性を有するもしくは表面張力の小さい乾燥助成剤を洗浄ノズルから噴射させるように構成されている。
【０００３】
そして上記乾燥装置が洗浄水液と乾燥助成剤の混合液を洗浄ノズルから噴射させた後、あるいは洗浄ノズルから洗浄水だけ噴射させて洗浄し、次の段階で乾燥助成剤を同じ洗浄ノズルから噴射させた後、温風吹出口より温風を吹き掛けて乾燥するようになっていた。
【０００４】
また特許文献２記載の乾燥装置は、送風手段と、送風された空気を熱する発熱手段と、送風吹き出し口と、差し出した手を検知する検知手段と、前記送風吹き出し口の下方を照射する殺菌灯とを備え、検知手段により送風手段と発熱手段とを動作制御させると共に、送風吹き出し口の後方に設置した殺菌灯を遮蔽する遮蔽体を殺菌灯の前方に出退自在に形成し、検知手段のオフ信号にて遮蔽体で殺菌灯の前方を覆うように構成されている。
【０００５】
そして上記乾燥装置が一旦水で洗った手を差し出して応答する検知手段の出力に応じて送風手段、発熱手段ならびに殺菌灯が作動し、手の乾燥と殺菌作用が行われる構成になっている。
【特許文献１】実開昭６２−９４１７０号公報
【特許文献２】特開平６−１６５７３９号公報
【発明の開示】
【発明が解決しようとする課題】
【０００６】
しかしながら上記従来の乾燥装置において、先ず特許文献１の乾燥装置は、洗浄水液と乾燥助成剤の混合液を洗浄ノズルから噴射させた後、あるいは洗浄ノズルから洗浄水だけ噴射させて洗浄し、次の段階で乾燥助成剤を同じ洗浄ノズルから噴射させた後、温風吹出口より温風を吹き掛けて乾燥する方式を取っているため、乾燥助成剤の噴射量が多くなる一方、乾燥助成剤が揮発性の有するものか、あるいは表面張力の小さい液体を使用するため、噴射量が多くなり、その結果、人体に掛かる乾燥助成剤が一定量を超えると、人体表面の脱脂作用が多く働き、逆に肌荒れの原因となる。また乾燥に要する蒸発潜熱量が多く働くため、肌寒く感じ、特に幼児や老人等でのヒートショックが大きく、不快さが益々増大する。また人体の乾燥に要する乾燥助成剤の噴射領域が噴射手段の機構の性能に負う所が多いため、噴射の広がりが小さくなり、人体に掛かる広がりを広く取る必要のある所では、乾燥範囲が狭く、この結果乾燥時間が長く掛かる。したがって人体に掛かる広がりを広く取る必要のある所を満すことになれば益々乾燥助成剤は多くなり、この結果乾燥助成剤の無駄が多くなり、省資源省エネならびに肌荒れ防止の視点から問題がある。
【０００７】
また他の従来例である特許文献２記載の乾燥装置は、一旦洗った手を差し出して応答する検知手段の出力に応じて送風手段および発熱手段ならびに殺菌灯が作動し手の乾燥と殺菌作用が行われる構成になっているが、手に付着した水に温風を吹き付け蒸発させる乾燥方式のため乾燥時間が長く、かつ殺菌作用も長く掛かるという課題がある。
【課題を解決するための手段】
【０００８】
本発明の温水洗浄便座は、人体を洗浄する洗浄手段と、人体に付着した水滴の蒸発又は剥離を促進する材料からなる乾燥促進剤を人体に噴射する乾燥促進手段とを備えた。そして、この構成により、水あるいは温水等で洗浄した後の人体に付着した水滴を乾燥補助財を噴射して蒸発又は剥離させる。
【発明の効果】
【０００９】
本発明の温水洗浄便座は、乾燥補助財を洗浄部に噴射することで、洗浄時に付着した水滴の蒸発又は剥離するので、洗浄後の乾燥を促進することができる。
【発明を実施するための最良の形態】
【００１０】
第１の発明は、人体を洗浄する洗浄手段と、人体に付着した水滴の蒸発又は剥離を促進する材料からなる乾燥促進剤を人体に噴射する乾燥促進手段とを備えた。そして、乾燥補助財を洗浄部に噴射することで、洗浄時に付着した水滴の蒸発又は剥離するので、洗浄後の乾燥を促進することができる。
【００１１】
第２の発明は、第１の発明において、乾燥促進剤は、アルコール系の揮発剤としたので、安価で省資源、且つ高い殺菌作用を受けることができる。
【００１２】
第３の発明は、第１または２の発明において、洗浄手段による洗浄後に、乾燥促進手段による乾燥促進剤の噴射を行う。そして、洗浄後の水滴の蒸発または剥離により、洗浄後の乾燥を促進する。
【００１３】
第４の発明は、第１から３の発明において、送風手段を備え、前記送風手段は人体に付着した水滴または乾燥促進剤または水と乾燥促進剤の混合液に吹き掛けるようにした。そして、送風手段からの送風により、乾燥スピードを速める。
【００１４】
第５の発明は、第１から４の発明において、乾燥促進手段と洗浄手段を共有したことを特徴とする。洗浄手段と乾燥促進手段を兼用したので、洗浄と乾燥促進のノズルの前後移動など自在なので、適切な場所への乾燥促進手段の照準合わせが容易となる。そして、システムが単純化され省資源、高信頼性が得られる。
【００１５】
なお、本願発明は、乾燥促進材を粒子状に微粒化して人体または洗濯衣類に噴射させる乾燥促進手段と、人体または洗濯衣類に風を吹き掛けるブロアー手段と、前記乾燥促進手段とブロアー手段を制御する運転制御装置から構成した洗浄乾燥装置としているので、噴霧乾燥手段によって乾燥促進剤を微粒化し、これを、水あるいは温水等で洗浄した後の人体（臀部、手あるいは身体全体）や、洗濯と脱水を終えた衣類等に間欠に噴射させ、これと同時にブロアー手段を介して送風を吹き付け、付着している水分中に、疎らに浸透した乾燥促進剤あるいは水と乾燥促進剤の混合液から蒸発させ、合わせて周囲の水分も剥離飛散させる乾燥方式が構成されているため、乾燥の促進作用が得られる。また乾燥促進剤の殺菌作用も同時に受けることができる。
【００１６】
また、噴射される乾燥促進剤が微粒化されているため噴射量が少なく、肌荒れが起らない利点がある。
【００１７】
また、ブロアー手段からの風を温風化する空気加熱手段を有しているので、ブロアー手段の空気加熱手段を介して温風を人体または衣類に吹き付け、付着している水分に加えて、さらに水分の中に疎らに浸透した乾燥促進剤あるいは水と乾燥促進剤の混合液から蒸発させ、合わせて周囲の水分も剥離飛散させた乾燥方式が構成されるため、乾燥の促進に対する作用力の増加が得られる。
【００１８】
また、乾燥ノズル体動手段を配して乾燥ノズルを移動または回転自在に構成しているので、微粒化した乾燥促進剤が乾燥ノズルを介して、人体（臀部、手あるいは身体全体）や、衣類等に吹き付けられる面積が広くなり、広い面積の基で付着している乾燥促進剤あるいは水と乾燥促進剤の混合液からの蒸発量や、かつ周囲の水分や不用物質の剥離飛散量も増大する。この結果、乾燥の促進作用と殺菌作用が増加と共に、乾燥スピードを速める作用が得られる。
【００１９】
また、乾燥促進材を間欠あるいは流量可変に噴射させる運転制御装置を有しているので、ブロアー手段を介して人体や衣類に吹き付ける送風力と並行して、または交互に微粒状の乾燥促進剤を間欠あるいは流量を可変して噴射させ吹き付けることが可能になるため、微粒状の乾燥促進剤を人体または洗濯衣類に付着している水分中に、ほぼ均一に且つ疎ら状に浸透させることができる。この結果、浸透した乾燥促進剤や、あるいは水と乾燥促進剤の混合液状態からの蒸発量や、同時に誘発する水分の剥離飛散量を増大させることができる。
【００２０】
また、ブロアー手段の風量を間欠または可変制御を行う運転制御装置を有しているので、ブロアー手段を介して人体や衣類に吹き付ける送風力の可変や、送風力の間欠等の運転が可能になるため、同時に作動する微粒状の乾燥促進剤の吹き付けあるいは間欠吹き付けと共に人体あるいは洗濯衣類に付着している乾燥促進剤や、あるいは水との混合液の状態からの蒸発量や、同時に誘発する水分の剥離飛散量を増大させることができる。
【００２１】
また、ブロアー手段の吐出側に吹出し方向を可変する吹き出し偏向手段を有しているので、人体（臀部、手あるいは身体全体）や、衣類等に吹き付けられる面積が広くなり、広い面積の基で付着している乾燥促進剤あるいは濡れた水との混合液部分から蒸発量や、かつ周囲の水分を含む不用物質の剥離飛散量が増大する。この結果、乾燥の促進作用と殺菌作用が増加すると共に、乾燥スピードを速める作用が得られる。
【００２２】
また、乾燥促進と殺菌促進を兼ね備えた乾燥促進剤を貯溜する乾燥促進剤貯溜タンクと、前記乾燥促進剤貯溜タンクから乾燥促進剤を乾燥ノズルへ圧送するために、前記乾燥促進剤貯溜タンクの一次側に圧搾空気を送り込む圧搾空気装置、または前記乾燥促進剤貯溜タンクの二次側に水ポンプを備えて乾燥促進手段を構成しているので、乾燥ノズルから噴霧される乾燥促進剤の微粒化が促進され、粒径が小さくなる方向に作用するため、乾燥促進剤の噴射量が少なくなる上に濡れた人体や衣類に付着している水分中に、浸透する、あるいは溶け込む乾燥促進剤の頻度が向上し、混合液状態からの蒸発量や、蒸発の時に周辺の水分に影響をおよぼし誘発する剥離飛散量が増大する。また肌荒れや衣類傷めも防止できる。
【００２３】
また、乾燥ノズルへ空気を送り込むエアーポンプを配設して乾燥促進手段を構成しているので、乾燥ノズルから噴霧される乾燥促進剤の微粒化が、さらに促進され、粒径が小さくなる方向に作用する。この結果、濡れた人体や衣類に付着している水分中に、浸透する、あるいは溶け込む乾燥促進剤の頻度が向上し、混合液状態からの蒸発量や、蒸発の時に周辺の水分に影響をおよぼし剥離飛散量の増大が図られる。
【００２４】
また、乾燥促進手段あるいはブロアー手段から乾燥促進剤や送風が人体や衣類に吹き付けられて飛散する噴霧ガス、あるいは周囲の風を吸い込む吸い込み口と、前記噴霧ガスあるいは風の中に含まれる不用物質あるいは水分粒子を捕集し吸着する吸着フィルタと、風を吸い込み、吐き出す排出ファンから構成する排出手段を備えているので、乾燥促進剤あるいは水との混合液状態から蒸発する際、剥離飛散した液体や不用物質（汚た水や塵埃、糸屑等）を捕集あるいはその吸着量を増やすことができるため、清潔な洗浄乾燥ができる。
【００２５】
また、乾燥促進剤をアルコール系の揮発剤としているので、安価で省資源、且つ高い殺菌作用を受けることができる。
【００２６】
また、微粒化された洗浄液を噴射させる洗浄ノズルと、前記洗浄ノズルを前後にあるいは回動自在に移動させる機能を備えた洗浄ノズル体動手段と、前記洗浄液を加熱する温水加熱手段と、エアーポンプから送り込まれた空気と水ポンプから配送された洗浄液を混合させ粒子状に生成させる混合手段から構成する洗浄手段と、前記洗浄手段を制御する洗浄運転制御装置を備えているので、洗浄し終えた人体あるいは洗濯衣類に付着している洗浄液は泡状になって、人体あるいは洗濯衣類に付着している洗浄液の量が少なくなる上に、これらに吹き付けられた乾燥促進剤の微粒子が溶け込む割合いが増大するため、乾燥促進剤や、水との混合液状態からの、単位時間当たりの蒸発量が増大し、と同時に蒸発時に誘発する水分の剥離飛散量も増大する。この結果乾燥スピードが速まり、殺菌作用も向上する。
【００２７】
また、洗浄ノズルと乾燥ノズルを兼ね備えた噴霧ノズルと、洗浄ノズル体動手段と乾燥ノズル体動手段を兼ね備えたノズル体動手段から構成する洗浄乾燥装置としているので、噴霧ノズル一体で洗浄と乾燥機能が得られると同時に乾燥促進作用も得られる。また噴霧ノズルの前後移動や回動がノズル体動手段によって自在に形成され、適切な場所への照準合わせが容易となる。そして、システムが単純化され省資源、高信頼性が得られる。
【実施例】
【００２８】
以下、本発明の実施例について図面を用いて説明する。
【００２９】
（実施例１）
図１は本発明の実施例１における洗浄乾燥装置の構成図を示す。
【００３０】
図１において、洗浄乾燥装置は、乾燥促進手段１、ブロアー手段２と、そして排出手段３、運転制御装置４から構成される。前記乾燥促進手段１は、乾燥促進剤が貯溜された乾燥促進剤貯溜タンク５と、前記乾燥促進剤貯溜タンク５内の乾燥促進剤を押し出し第１混合手段６に向かわせるための圧搾空気発生装置７と、外部空気を吸い込んで前記第１混合手段６に送り込み、乾燥促進剤の微粒化を促進するためのエアーポンプ８と、前記第１混合手段６で空気と混合して微粒化された乾燥促進剤を、乾燥ノズル体動手段９を介して人体ａに吹き掛ける乾燥ノズル１０から構成される。
【００３１】
ブロアー手段２は、送風ファン１１と、前記送風ファン１１から送られた空気を、やや低温に加熱する空気加熱手段１２と、前記空気加熱手段１２から流出された温風の吹出す方向を可変する吹き出し偏向手段１３から構成される。
【００３２】
また排出手段３は、前記吹き出し偏向手段１３から人体ａに吹き掛けられて撥ね返った空気、乾燥促進剤や、人体ａから剥離飛散された不用物質（汚れ、塵埃）を吸い込む吸い込み口１４と、前記水分や剥離飛散された不用物質を捕集吸着する吸着フィルター１５と、前記吸着フィルター１５から流出された、主として空気を吸い込み、外気へ排出する排気ファン１６から構成される。
【００３３】
運転制御装置４は、乾燥促進手段１、ブロアー手段２、排出手段３を制御するために配設されている。
【００３４】
次に動作，作用について説明する。本説明では病人や身体障害者、介護を要する老人等自力で風呂に入れない人の人体を一旦洗った後、自動乾燥するために利用されるものの場合を例にして説明する。第１混合手段６でエアーポンプ８から送られてきた空気と、圧搾空気発生装置７の空気圧で乾燥促進剤貯溜タンク５から流出されて送られてきた乾燥促進剤とが混合し粒子状になった乾燥促進剤が乾燥ノズル体動手段９から乾燥ノズル１０に至ってさらに微粒化し濡れた人体に吹き付けられ、疎らに浸透し水分と溶け込む形となる。一方ブロアー手段２の送風ファン１１から送られてきた空気が空気加熱手段１２によって加熱され、吹き出し手段１３を介して前記人体に吹き掛けられる。この結果人体に付着された乾燥促進剤、あるいは水との混合液部分から蒸発現象が起り、さらに蒸発時に周辺の水分の剥離飛散作用を誘発し、乾燥が促進される。
【００３５】
ここでこの実施例では上記乾燥ノズル１０を、乾燥ノズル体動手段９を介して移動もしくは回動させて微粒化された乾燥促進剤を人体の適切な部分に、かつ広く吹き掛けることができる。また吹き出し偏向手段１３と運転制御装置４を動作させ、温風の吹き出し方向を可変し、あるいは、送風ファン１１を制御して送風量を可変または間欠運転することにより人体からの乾燥促進剤の蒸発や剥離飛散を促進させる作用が得られる。また乾燥促進剤を利用しているため低温の温風でも乾燥促進が得られるため、空気加熱手段の熱エネルギーは少なくて済み、省エネ効果が期待できる。また人体から飛散された水分、乾燥促進剤、汚れ物質、毛等は第１吸い込み口１４を介して吸着フィルター１５で一旦捕集吸着し、残りガス体は外気へ排出される。
【００３６】
なお本実施例の洗浄乾燥装置は、対象を人体の体全体の乾燥だけでなく、人体の一部である用便後の臀部洗浄後の乾燥やあるいは洗濯脱水された衣類の乾燥等に利用することができ、同様の作用と効果が得られる。
【００３７】
（実施例２）
図２は本発明の実施例２における洗浄乾燥装置の構成図を示し、用便後の臀部の洗浄と乾燥促進、脱臭機能を配設した温水洗浄弁座の基本構成からなり、乾燥促進手段１、ブロアー手段２、排出手段３ならびに洗浄手段２０、脱臭手段２１から構成される。
【００３８】
すなわち、実施例１と異なる点は、洗浄手段２０と、脱臭手段２１が新たに加わった構成とした点にある。うち、洗浄手段２０は、洗浄水を、電磁開閉弁２２を介して第２混合手段２３に導く水ポンプ２４と、乾燥促進手段１のエアーポンプ８からの空気を切り替えて第２混合手段２３に導く３方路弁２５と、前記第２混合手段２３で混合された気泡水を温水にするための温水加熱手段２６と、前記温水加熱手段２６からの温水を、洗浄ノズル体動手段２７を介して臀部ｂへ噴射させるための洗浄ノズル２８から構成される。洗浄ノズル体動手段２７は、洗浄ノズル２８を前後移動ならびに回動自在に動かし、臀部の適切な位置に噴射させるために配置されている。
【００３９】
また脱臭手段２１は、臭気ガスを第２吸い込み手段２９から吸い込み、臭気を計る脱臭手段３０と、前記脱臭手段３０から流出したガスを外気へ排出するための第２排出ファン３１から構成される。運転制御装置３２は、乾燥促進手段１、ブロアー手段２、排出手段３、ならびに洗浄手段２０、脱臭手段２１を制御するために配設されている。
【００４０】
なお、実施例１と同一符号のものは同一構造を有し、説明は省略する。
【００４１】
次に動作，作用を説明すると、先ず洗浄手段２０については、大あるいは小の用便後、水ポンプ２４によって電磁開閉弁２２を経由させて導いた洗浄水と、乾燥促進手段１のエアーポンプ８を流用して３方路弁２５を経由させて導いた空気とを第２混合手段２３で混合させ、ここで生成された気泡水を、一旦温水加熱手段２６で温め、洗浄ノズル体動手段２７を介して洗浄ノズル１０から噴射させて臀部ｄを洗浄する作用が得られる。また同時に脱臭手段２１は、第２排出ファンを利用して臭気ガスを第２吸い込み手段２９から脱臭手段３０へ導き脱臭を計った後外気へ排出される。
【００４２】
また臀部洗浄後、乾燥促進手段１、ブロアー手段２、排出手段３を作動させて、実施例１で説明した場合と同様の動作により、臀部の乾燥促進作用と、殺菌作用が得られる。また乾燥促進剤を微粒化して利用することにより低温の温風でも乾燥促進が得られるため、空気加熱手段の熱エネルギーは少なくて済み、省エネ効果が期待される。
【００４３】
（実施例３）
図３は本発明の実施例３における洗浄乾燥装置の構成図を示し、大あるいは小の用便後の臀部洗浄と乾燥促進、脱臭等各機能を有する洗浄乾燥装置を配設した温水洗浄弁座の基本構成からなり、乾燥促進手段と洗浄手段を一体に、共有させた洗浄乾燥手段３５と、ブロアー手段２、排出手段３ならびに、脱臭手段２１から構成される。
【００４４】
すなわち実施例２と異なる点は、乾燥促進手段と洗浄手段を一体に、かつ共有させた洗浄乾燥手段を配設した点にある。
【００４５】
先ず、洗浄機構の構成は、洗浄乾燥手段３５において、洗浄水を、電磁開閉弁２２を介して混合手段３６に導く水ポンプ２４と、エアーポンプ８からの空気を導く混合手段３６と、前記混合手段３６で混合された気泡水を温水にするための温水加熱手段２６と、前記温水加熱手段２６からの温水を、ノズル体動手段３７を介して臀部ｂへ噴射させるための噴霧ノズル３８から構成される。ノズル体動手段３７は、噴霧ノズル３８を前後移動ならびに回動自在に動かし、臀部の適切な位置に噴射させるために配置されている。続いて乾燥促進機構の構成は、乾燥促進剤が貯溜された乾燥促進剤貯溜タンク５と、前記乾燥促進剤貯溜タンク５内の乾燥促進剤を押し出し混合手段３６に向かわせるための圧搾空気発生装置７と、外部空気を吸い込んで前記混合手段３６に送り込み、乾燥促進剤の微粒化を促進するためのエアーポンプ８と、前記混合手段３６で空気と混合して微粒化された乾燥促進剤を、ＯＦＦ状態の温水加熱手段２６を経由してノズル体動手段３７を介して臀部ｂに吹き掛ける噴霧ノズル３８から構成される。
【００４６】
なお、実施例１と同一符号のものは同一構造を有し、説明は省略する。
【００４７】
次に動作，作用を説明すると、洗浄動作は、洗浄乾燥手段３５において、大あるいは小の用便後、運転制御装置３２を作動させ、水ポンプ２４によって電磁開閉弁２２を経由させて導いた洗浄水と、エアーポンプ８から導いた空気とを混合手段３６で混合させ、ここで生成された気泡水を、一旦温水加熱手段２６で温め、ノズル体動手段３７を介して噴霧ノズル３８から噴射させ臀部ｄに当てて洗浄する。また同時に脱臭手段２１は、第２排出ファン３１を利用して臭気ガスを第２吸い込み手段２９から脱臭手段３０へ導き脱臭を計った後外気へ排出される。
【００４８】
また臀部洗浄後、乾燥動作にはいると、洗浄乾燥手段３５における乾燥促進機構の構成は、混合手段３６でエアーポンプ８から送られてきた空気と、圧搾空気発生装置７の空気圧で乾燥促進剤貯溜タンク５から流出されて送られてきた乾燥促進剤とが混合し粒子状に微粒化され、この微粒化された乾燥促進剤がノズル体動手段３７から噴霧ノズル３８に至ってさらに微粒化され濡れた臀部ｂに吹き付けられる。この段階で微粒化された乾燥促進剤が疎らに浸透し水分と溶け込む形となる。一方ブロアー手段２の送風ファン１１から送られてきた空気が空気加熱手段１２によって加熱され、吹き出し偏向手段１３を介して前記臀部ｂに吹き掛けられる。この結果臀部ｂに付着された乾燥促進剤、あるいは水との混合液部分から蒸発現象が起り、さらに蒸発時に周辺の水分の剥離飛散作用を誘発し、乾燥が促進される。
【００４９】
ここでこの実施例では、上記噴霧ノズル３８を、ノズル体動手段３７を介して移動もしくは回動させて微粒化された乾燥促進剤を臀部ｂの適切な部分に、かつ広く吹き掛けることができる。また吹き出し偏向手段１３と運転制御装置３２を動作させ、温風の吹き出し方向を可変し、あるいは、送風ファン１１を制御して送風量を可変または間欠運転することにより人体からの乾燥促進剤の蒸発や剥離飛散を促進させることができる。またブロアー手段２、排出手段３を作動させて、実施例２で説明した場合と同様の動作により、臀部の乾燥促進作用と、殺菌作用が得られる。また乾燥促進剤を微粒化して利用することにより低温の温風でも乾燥促進が得られるため、空気加熱手段の熱エネルギーは少なくて済み、省エネ効果がある。また人体から飛散された水分、乾燥促進剤、汚れ物質、毛等は第１吸い込み口１４を介して吸着フィルター１５で一旦捕集吸着し、残りガス体は外気へ排出される。
【００５０】
なお本実施例の洗浄乾燥装置は、対象を用便後の臀部洗浄後の乾燥だけでなく、体全体の人体乾燥や洗濯脱水された衣類の乾燥または脱臭等に利用することができ、同様の作用と効果が得られる。
【００５１】
なおまた上記実施例１、実施例２、実施例３において、先ず脱臭手段２１と空気の排出手段３を一体にして、所謂第１吸い込み口１４と第２吸い込み口２９を、第１排出ファン１６と第２排出ファン３１をそれぞれ兼ねると共、吸着フィルタ１５と、脱臭手段２１を直列接続して利用することもできる。さらに乾燥促進剤を乾燥促進剤貯溜タンク５から混合手段３６へ圧送する方法には、上記で説明したように乾燥促進剤貯溜タンク５の一次側上層から圧搾空気発生装置７の空気圧を利用して押し出す方法と、乾燥促進剤貯溜タンクの二次側の、所謂後段に移送ポンプを配置し、移送ポンプの吸い込み圧で乾燥促進剤貯溜タンク５の乾燥促進剤を吸い込み、混合手段３６へ送り出す方法がある。何れの方でもシステムの構成上、適切に整合させて利用すれば良い。
【図面の簡単な説明】
【００５２】
【図１】本発明の実施例１における洗浄乾燥装置の構成図
【図２】本発明の実施例２における洗浄乾燥装置の構成図
【図３】本発明の実施例３における洗浄乾燥装置の構成図
【図４】従来の洗浄乾燥装置の構成図
【符号の説明】
【００５３】
１  乾燥促進手段
２  ブロアー手段
３  排出手段
４  運転制御装置
５  乾燥促進剤貯溜タンク
６  第１混合手段
７  圧搾空気発生装置
８  エアーポンプ
９  乾燥ノズル体動手段
１０  乾燥ノズル
１１  送風ファン
１２  空気加熱手段
１３  吹き出し偏向手段
１４  第１吸い込み口
１５  吸着フィルター
１６  第１排出ファン
２０  洗浄手段
２４  水ポンプ
２６  温水加熱手段
２７  洗浄ノズル体動手段
２８  洗浄ノズル
２９  第２吸い込み口
３２  運転制御装置
３６  混合手段
３７  ノズル体動手段
３８  噴霧ノズル
【図１】
2005232962.tif 000003
【図２】
2005232962.tif 000004
【図３】
2005232962.tif 000005
【図４】
2005232962.tif 000006